(57)【要約】【課題】フライング・リードの伸びを維持しつつ接合時の捻じれを抑制し、接合性を向上させることを可能にする配線回路基板を提供する。【解決手段】配線パターン９Ａを形成した絶縁層が開口部２３Ａを備えて配線パターン９Ａの表裏両面を部分的に露出させてフライング・リード９Ａａとした外部側接続端子２１Ａを有するフレキシャ１Ａであって、開口部２３Ａの縁部２３Ａａと交差する配線パターン９Ａの部分に、開口部２３Ａ内で表裏が露出したフライング・リード９Ａａよりも幅を広くした捻じれ規制部２９Ａａ、２９Ａｂを設け、捻じれ規制部２９Ａａ、２９Ａｂに、開口部２３Ａ内への伸びを促進するための易延伸部４０を設けたことを特徴とする。【選択図】図４
2013016232.tif 000002
【特許請求の範囲】
【請求項１】
導体パターンを埋設形成した絶縁層が開口部を備えて前記導体パターンの表裏両面を部分的に露出させた端子部を有する配線回路基板であって、
前記導体パターンに、前記端子部の捻じれを規制する捻じれ規制部を前記開口部の縁部と交差して設け、
前記捻じれ規制部又は捻じれ規制部及び端子部間に、前記開口部内への伸びを促進するための易延伸部を設けた、
ことを特徴とする配線回路基板。
【請求項２】
請求項1記載の配線回路基板であって、
前記捻じれ規制部は、前記端子部から漸次幅広となる連繋部及びこの連繋部に連続する幅広部を有する、
ことを特徴とする配線回路基板。
【請求項３】
請求項1又は２記載の配線回路基板であって、
前記易延伸部は、前記捻じれ規制部を配線幅方向に分断するスリット部又は穴部若しくはスリット部及び穴部により形成した、
ことを特徴とする配線回路基板。
【請求項４】
請求項１記載の配線回路基板であって、
前記捻じれ規制部は、前記端子部から漸次幅広となる連繋部及びこの連繋部に連続する幅広部を有し、
前記易延伸部は、前記捻じれ規制部を配線幅方向に分断する穴部により形成し、
前記幅広部の配線幅を、前記端子部の配線幅よりも大きくした、
ことを特徴とする配線回路基板。
【請求項５】
請求項1又は２記載の配線回路基板であって、
前記易延伸部は、前記端子部にスリット部又は穴部若しくは相対的な薄肉部を設けて形成した、
ことを特徴とする配線回路基板。
【請求項６】
請求項1〜５の何れかに記載の配線回路基板であって、
前記絶縁層は金属支持層に支持され、
前記金属支持層は、前記開口部を露出させる窓部を備えた、
ことを特徴とする配線回路基板。
【請求項７】
請求項６記載の配線回路基板であって、
前記捻じれ規制部は、前記金属支持層と重なる部分にキャパシタンスの増加を抑制するために層を除去した抜き部を備えた、
ことを特徴とする配線回路基板。
【請求項８】
請求項１〜７の何れかに記載の配線回路基板であって、
前記導体パターンを記録再生用のヘッド部への配線パターンとするヘッド・サスペンションのフレキシャである、
ことを特徴とする配線回路基板。
【発明の詳細な説明】
【技術分野】
【０００１】
本発明は、ハード・ディスク・ドライブ（Hard Disk Drive「HDD」）のヘッド・サスペンション等に供される配線用のフレキシャ等である配線回路基板に関する。
【背景技術】
【０００２】
近年、インターネットの普及等によりパーソナルコンピュータの情報処理量の増大や情報処理速度の高速化が要求されてきており、それに伴って、パーソナルコンピュータに組み込まれているハード・ディスク・ドライブ（ＨＤＤ）も大容量化や情報伝達速度の高速化が必要となっている。このため、ＨＤＤに用いられる配線用のフレキシャにも高機能化が求められている。
【０００３】
このフレキシャは、通常、リード配線とライト配線とを有し、配線テールの端子部をメイン基板に接合している。
【０００４】
端子部とメイン基板との接合には各種方式があり、大まかには、サスペンション側のフライング・リード型端子をメイン基板側のパッド型端子に超音波接合する方式、双方のパッドを導電性部材で接合する方式がある。
【０００５】
フライング・リード型端子の場合は、導体パターンを埋設形成した絶縁層が開口部を備えて前記導体パターンの表裏両面を部分的に露出させてフライング・リードとした端子部を有している。このフライング・リード型端子の端子部のフライング・リードをパッド型端子に超音波接合する。
【０００６】
この場合、フライング・リードの物理的強度が弱く、そのために幅広部を形成して強度を向上させたものが、特許文献１として開示されている。
【０００７】
しかし、単に幅広部を形成すると強度向上により断線を防止できてもフライング・リードの伸びが少なくなり、超音波による接合性の低下を招いていた。
【０００８】
このため、幅広部の幅にも限界を招き、接合時にフライング・リードが捻じれを規制できず、接合性が低下する恐れがあった。
【先行技術文献】
【特許文献】
【０００９】
【特許文献１】特開２００３−３１９１５公報
【発明の概要】
【発明が解決しようとする課題】
【００１０】
解決しようとする問題点は、フライング・リードの物理的強度が弱く、そのために幅広部を形成するとフライング・リードの伸びが少なくなって接合性の低下を招き、幅広部の幅にも限界を招いて接合時にフライング・リードが捻じれ、接合性が低下する点である。
【課題を解決するための手段】
【００１１】
本発明は、フライング・リードの伸びを維持しつつ接合時の捻じれを抑制し、接合性を向上させることを可能にするため、導体パターンを埋設形成した絶縁層が開口部を備えて前記導体パターンの表裏両面を部分的に露出させた端子部を有する配線回路基板であって、前記導体パターンに、前記端子部の捻じれを規制する捻じれ規制部を前記開口部の縁部と交差して設け、前記捻じれ規制部又は捻じれ規制部及び端子部間に、前記開口部内への伸びを促進するための易延伸部を設けたことを特徴とする。
【発明の効果】
【００１２】
本発明は、上記構成であるから、ねじれ規制部によりフライング・リード接合時の捻じれを規制することができ、しかも、易延伸部により接合時の導体パターンの伸びを許容し、接合性を向上させることができる
【図面の簡単な説明】
【００１３】
【図１】フレキシャの平面図である。（参考例）
【図２】端子部の拡大平面図である。（参考例）
【図３】端子部の拡大断面図である。（参考例）
【図４】導体パターンを露出させた端子部の拡大平面図である。（実施例１）
【図５】導体パターンの要部拡大平面図である。（実施例１）
【図６】導体パターンの要部拡大平面図である。（実施例２）
【図７】導体パターンの要部拡大平面図である。（比較例３）
【図８】導体パターンの要部拡大平面図である。（実施例４）
【図９】導体パターンの要部拡大平面図である。（実施例５）
【図１０】導体パターンの要部拡大平面図である。（実施例６）
【図１１】導体パターンの要部拡大平面図である。（実施例７）
【図１２】導体パターンの要部拡大平面図である。（実施例８）
【図１３】導体パターンの要部拡大平面図である。（実施例９）
【図１４】導体パターンの要部拡大平面図である。（実施例１０）
【図１５】導体パターンの要部拡大平面図である。（実施例１１）
【図１６】導体パターンの要部拡大平面図である。（実施例１２）
【発明を実施するための形態】
【００１４】
フライング・リードの伸びを維持しつつ接合時の捻じれを抑制し、接合性を向上させることを可能にするという目的を、捻じれ規制部と易延伸部とにより実現した。
【実施例１】
【００１５】
［参考例］
図1〜図３は、本発明実施例の前提構造となる参考例に係り、図１は、フレキシャの平面図、図２、端子部の拡大平面図、図３は、端子部の拡大断面図である。
【００１６】
図１〜図３のように、配線回路基板の一例であるヘッド・サスペンションのフレキシャ１は、ハード・ディスク・ドライブ（ＨＤＤ）の記録再生用のヘッド部である磁気ヘッド（図示せず）を支持するものである。
【００１７】
フレキシャ１には、磁気ヘッドと外部の回路としてのリード・ライト基板３とを接続するための配線５ａ、５ｂ、７ａ、７ｂが、導体パターンである配線パターン９として一体的に形成されている。
【００１８】
このフレキシャ１は、長手方向に延びる金属支持層としてのステンレス製薄板１１上に、絶縁層であるベース層１３が形成され、ベース層１３上に、配線パターン９が形成され、配線パターン９の上に、絶縁層であるカバー層１５が形成されている。
【００１９】
したがって、導体パターンである配線パターン９が、絶縁層であるベース層１３及びカバー層１５間に埋設形成されている。また、絶縁層であるベース層１３及びカバー層１５は、金属支持層であるステンレス製薄板１１に支持された構成となっている。
【００２０】
ステンレス製薄板１１の先端部には、タング１７が形成され、磁気ヘッドと配線パターン９とを接続するための磁気ヘッド側接続端子１９が形成されている。ステンレス製薄板１１の後端部には、リード・ライト基板３と配線パターン９とを接続するための端子部としての外部側接続端子２１が形成されている。
【００２１】
外部側接続端子２１には、開口部２３が形成され、この開口部２３により配線パターン９の表裏両面を部分的に露出させて、フライング・リード９ａとしている。また、ステンレス製薄板１１は、窓部１１ａを備え、前記開口部２３を露出させている。
【００２２】
なお、この参考例では開口部２３内において露出する配線パターン９の両面にニッケルメッキ層２５及び金メッキ層２７が形成されている。
【００２３】
配線パターン９に、外部側接続端子２１のフライング・リード９ａよりも幅を広くした幅広部２９が開口部２３の縁部２３ａと交差して設けられている。
【００２４】
このようなフレキシャ１によれば、幅広部２９により開口部２３の縁部２３ａにおいて配線パターン９の物理的強度が向上する。
【００２５】
このため、その外部側接続端子２１のフライング・リード９ａをリード・ライト基板３側にボンディング・ツールにより超音波振動を加えて接続する際などに、開口部２３の縁部２３ａにおいてフライング・リード９ａに応力が集中しても、幅広部２９により断線を有効に防止することができ、接続信頼性を向上させることができる。
【００２６】
しかし、幅広部２９を形成するとフライング・リード９ａの伸びが少なくなり、超音波による接合性の低下を招く恐れがあるため、幅広部２９の幅にも限界を招く。このため、接合時にフライング・リード９ａの捻じれが避けられず、接合性が低下する恐れがあった。
［捻じれ規制部］
図４は、本発明の実施例１に係り、導体パターンを露出させた端子部の拡大平面図、図５は、導体パターンの要部拡大平面図である。
【００２７】
図４、図５のように、外部側接続端子２１Ａも、参考例と同様にフレキシャ１Ａの後端部に形成されたものであり、フレキシャの基本的な構造は、参考例を前提とする。但し、外部側接続端子２１Ａは、他の構造のフレキシャにも適用できることは勿論である。なお、参考例と対応する構成部分には、同符号にＡを付して説明し、重複した説明は省略する。
【００２８】
長手方向に延びる金属支持層としてのステンレス製薄板１１Ａ上に、絶縁層であるベース層１３Ａが形成され、ベース層１３Ａ上に、配線パターン９Ａが形成されている。配線パターン９Ａの上には、絶縁層であるカバー層（図示せず）が形成されている。したがって、導体パターンである配線パターン９Ａが、絶縁層であるベース層１３Ａ及びカバー層間に埋設形成されている。
【００２９】
なお、配線パターン９Ａは、リード・ライト基板に接続するための配線５Ａａ、５Ａｂ、７Ａａ、７Ａｂ以外に、例えばセンサ用の配線３１、ヒータ用の配線３３を備えている。
【００３０】
外部側接続端子２１Ａには、開口部２３Ａが形成され、この開口部２３Ａにより配線パターン９Ａの表裏両面を部分的に露出させて、フライング・リード９Ａａとしている。ステンレス製薄板１１Ａは、窓部１１Ａａを備え、前記開口部２３Ａを露出させている。本実施例の開口部２３Ａは、ステンレス製薄板１１Ａの窓部１１Ａａと連携して開口を成している。
【００３１】
なお、この実施例においても参考例と同様に、開口部２３Ａ内において露出する配線パターン９Ａの両面にニッケルメッキ層及び金メッキ層を形成してもよい。
【００３２】
開口部２３Ａの縁部２３Ａａと交差する配線パターン９Ａの部分に、開口部２３Ａ内で表裏が露出した配線パターン９Ａの部分であるフライング・リード９Ａａよりも幅を広くした捻じれ規制部２９Ａａ、２９Ａｂが設けられている。
【００３３】
捻じれ規制部２９Ａａ、２９Ａｂは、幅広部３５及び連繋部３７からなっている。
【００３４】
幅広部３５は、直線的な平行側部３５ａにより一定の幅で形成され、フライング・リード９Ａａよりも幅広になっている。幅広部３５は、フライング・リード９Ａａの補強及び捻じれ規制機能を備えるものであり、必ずしも一定の幅である必要はない。幅広部３５は、湾曲側部３５ｂ、３５ｃを介して各配線５Ａａ、７Ａａ、３１に連続し、又は湾曲側部３５ｂ、３５ｄを介して各配線５Ａｂ、７Ａｂ、３３に連続している。
【００３５】
連繋部３７は、フライング・リード９Ａａ及び幅広部３５間を連携させるものであり、直線的な傾斜側部３７ａによりフライング・リード９Ａａから幅広部３５へ漸次幅広に形成されている。フライング・リード９Ａａから傾斜側部３７ａへは、湾曲により滑らかに連続し、応力集中を避ける。この傾斜側部３７ａは、開口部２３Ａの縁部２３Ａａで平行側部３５ａに連続する。
【００３６】
連繋部３７は、補強及び捻じれ規制機能を備えるものであり、必ずしも直線的な傾斜側部３７ａに形成される必要はなく、湾曲した傾斜側部等で形成することもできる。
【００３７】
捻じれ規制部２９Ａａ、２９Ａｂには、スリット部３９により易延伸部４０が設けられている。スリット部３９は、捻じれ規制部２９Ａａ、２９Ａｂの開口部２３Ａ内への伸びを促進するために主に連繋部３７を幅方向に分断させるものである。スリット部３９は、捻じれ規制部２９Ａａ、２９Ａｂを厚み方向に貫通形成されている。但し、捻じれ規制部２９Ａａ、２９Ａｂの開口部２３Ａ内への伸びを促進するために主に連繋部３７を幅方向に分断させる機能を備えるものであれば、必ずしも貫通形成するものには限らない。スリット部３９は、フライング・リード９Ａａの幅方向中央に対応して位置し、フライング・リード９Ａａに平行に直線的に延出している。スリット部３９の一端は、フライング・リード９Ａａの領域に僅かに至り、同他端は、幅広部３５の領域に僅かに至っている。但し、スリット部３９の長さ寸法は、適宜変更することができる。
【００３８】
したがって、フライング・リード９Ａａを、リード・ライト基板側にボンディング・ツールにより超音波振動を加えて接続するような場合などにおいて、フライング・リード９ａの捻じれトルクは、連繋部３７から開口部２３Ａの縁部２３Ａａで受けられ、且つ幅広部３５へも伝達されて分散される。
【００３９】
かかる捻じれトルクの伝達、分散により、接合時にフライング・リード９ａの捻じれが規制され、接続信頼性を向上させることができる。
【００４０】
また、開口部２３Ａの縁部２３Ａａにおいて連繋部３７に応力が集中しようとしても、応力は、漸次幅広に形成された連繋部３７を介して集中を避けながら幅広部３５へ伝達され、この幅広部３５に分散される。
【００４１】
かかる応力の伝達及び分散により、接合時にフライング・リード９ａの断線も有効に防止することができ、かかる点においても接続信頼性を向上させることができる。
【００４２】
さらに、フライング・リード９Ａａの領域及び幅広部３５の領域に至るスリット部３９により幅方向の連続性が分断されるため、フライング・リード９Ａａ及び幅広部３５間の伸びが促進され、超音波による接合性の向上を図ることができる。
【実施例２】
【００４３】
図６は、本発明の実施例２に係り、導体パターンの要部拡大平面図である。なお、基本的な構成は実施例１と同様であり、対応する構成部分には、符号のＡをＢに代えて付し、又符号にＢを付し、重複した説明は省略する。
【００４４】
本実施例のフレキシャ１Ｂは、易延伸部４０Ｂがスリット部３９Ｂにより形成されている。スリット部３９Ｂは、２本平行に配置され、フライング・リード９Ｂａの幅を３等分する位置に対応している。スリット部３９Ｂの長さ寸法は、適宜変更することができる。
【００４５】
本実施例でも、フライング・リード９Ｂａ及び幅広部３５Ｂ間の伸びをさらに促進させることができ、超音波による接合性の向上を図ることができる。
【００４６】
その他、実施例１と同様な効果を奏することができる。
【実施例３】
【００４７】
図７は、本発明の実施例３に係り、導体パターンの要部拡大平面図である。なお、基本的な構成は実施例２と同様であり、対応する構成部分には、符号のＢをＣに代えて付し、重複した説明は省略する。
【００４８】
本実施例のフレキシャ１Ｃは、易延伸部４０Ｃがスリット部３９Ｃにより形成されている。スリット部３９Ｃは、２本配置され、スリット部３９Ｃの一端がフライング・リード９Ｂａの幅を３等分する位置に対応し、同他端が幅広部３５をほぼ３等分する位置に対応して直線的に延出され、幅方向に傾斜設定されている。スリット部３９Ｃの長さ寸法は、適宜変更することができる。
【００４９】
本実施例でも、フライング・リード９Ｃａ及び幅広部３５Ｃ間の伸びを促進させることができ、超音波による接合性の向上を図ることができる。
【００５０】
その他、実施例２と同様な効果を奏することができる。
【実施例４】
【００５１】
図８は、本発明の実施例４に係り、導体パターンの要部拡大平面図である。なお、基本的な構成は実施例１と同様であり、対応する構成部分には、符号のＡをＤに代えて付し、重複した説明は省略する。
【００５２】
本実施例のフレキシャ１Ｄは、スリット部３９Ｄに加えて、細長の穴部４１を設けて易延伸部４０Ｄを形成したものである。
【００５３】
穴部４１は、幅広部３５Ｄに設けられ、スリット部３９Ｄと幅広部３５Ｄの平行側部３５Ｄａとの間に配置され、平行側部３５Ｄａと平行に直線的に設定されている。穴部４１の一端は、開口部２３Ｄの縁部２３Ｄａとステンレス製薄板の窓部１１Ｄａの縁部１１Ｄａａとの間でスリット部３９Ｄの端部に長手方向でオーバーラップし、同他端は、縁部１１Ｄａａに延出方向でオーバーラップしている。スリット部３９Ｄ及び穴部４１の長さ寸法は、適宜変更することができる。
【００５４】
本実施例では、穴部４１が幅広部３５Ｄをスリット部３９Ｄと平行側部３５Ｄａとの間で分断しているため、フライング・リード９Ｄａ及び幅広部３５Ｄ間の伸びに加え、幅広部３５Ｄの伸びも促進させることができ、超音波による接合性の向上を図ることができる。
【００５５】
その他、実施例１と同様な効果を奏することができる。
【実施例５】
【００５６】
図９は、本発明の実施例５に係り、導体パターンの要部拡大平面図である。なお、基本的な構成は実施例３と同様であり、対応する構成部分には、符号のＣをＥに代えて付し、重複した説明は省略する。
【００５７】
本実施例のフレキシャ１Ｅは、２本のスリット部の端部を幅広部３５Ｅ側で結合し、Ｕ字状のスリット部３９Ｅとして易延伸部４０Ｅを形成した。スリット部３９ＥのＵ字の長さ寸法は、適宜変更することができる。
【００５８】
本実施例では、フライング・リード９Ｅａ及び幅広部３５Ｅ間で中抜きした形態となり、フライング・リード９Ｅａ及び幅広部３５Ｅ間の伸びをより確実に促進させることができ、超音波による接合性の向上を図ることができる。
【００５９】
その他、実施例３と同様な効果を奏することができる。
【実施例６】
【００６０】
図１０は、本発明の実施例６に係り、導体パターンの要部拡大平面図である。なお、基本的な構成は実施例１と同様であり、対応する構成部分には、符号のＡをＦに代えて付し、重複した説明は省略する。
【００６１】
本実施例のフレキシャ１Ｆは、易延伸部４０Ｆを形成するスリット部３９Ｆの端部を幅広部３５Ｆ側のほぼ全体にまで延設し、平行側部３５Ｆａ及び湾曲側部３５Ｆｂ、３５Ｆｃ、又は平行側部３５Ｆａ及び湾曲側部３５Ｆｂ、３５Ｆｄに沿った穴部である長穴４３を形成した。スリット部３９Ｆの端部は、長穴４３に解放され連続している。幅広部３５Ｆでの配線として機能する部分の総幅は、フライング・リード９Ｆａの配線幅と同程度に設定されている。
【００６２】
本実施例では、スリット部３９Ｆに加えて、幅広部３５Ｆを平行側部３５Ｆａ及び湾曲側部３５Ｆｂ、３５Ｆｃ、又は平行側部３５Ｆａ及び湾曲側部３５Ｆｂ、３５Ｆｄに沿って中抜きした形態となり、幅広部３５Ｆで配線として機能する部分の総幅は、フライング・リード９Ｆａの配線幅と同程度に設定されるため、電気的特性の乱れを抑制することができる。
【００６３】
なお、スリット部３９Ｆの端部は、長穴４３に解放させない構成とし、その長さ寸法を適宜変更することもできる。
【００６４】
その他、実施例１と同様な効果を奏することができる。
【実施例７】
【００６５】
図１１は、本発明の実施例７に係り、導体パターンの要部拡大平面図である。なお、基本的な構成は実施例１と同様であり、対応する構成部分には、符号のＡをＧに代えて付し、重複した説明は省略する。
【００６６】
本実施例のフレキシャ１Ｇは、実施例２のスリット部３９に代えて、三角形の穴部４５により易延伸部４０Ｇを形成した。穴部４５の三角形は、フライング・リード９Ｇａ側へ頂点が指向している。穴部４５両側で配線として機能する部分の総幅は、フライング・リード９Ｇａの配線幅と同程度に設定されている。
【００６７】
本実施例では、穴部４５によりフライング・リード９Ｇａ及び幅広部３５Ｇ間の伸びをより確実に促進させることができ、超音波による接合性の向上を図ることができる。
【００６８】
しかも、穴部４５両側で連繋部３７Ｇの幅寸法を維持することができ、フライング・リード９Ｇａ側から伝達される捻じれトルクを確実に伝達、分散することができる。
【００６９】
また、穴部４５の両側で配線として機能する部分の総幅は、フライング・リード９Ｇａの配線幅と同程度に設定されているため、電気的特性の乱れを抑制することができる。
【００７０】
その他、実施例１と同様な効果を奏することができる。
【実施例８】
【００７１】
図１２は、本発明の実施例８に係り、導体パターンの要部拡大平面図である。なお、基本的な構成は実施例１と同様であり、対応する構成部分には、符号のＡをＨに代えて付し、重複した説明は省略する。
【００７２】
本実施例のフレキシャ１Ｈは、易延伸部４０Ｈを形成するスリット部３９Ｈに加え、幅広部３５Ｈでステンレス製薄板と重なる部分として抜き部４７を大きく設けた。抜き部４７の両側で配線として機能する部分の総幅は、フライング・リード９Ｈａの配線幅と同程度に設定されている。
【００７３】
そして、ステンレス製薄板と重なる部分で抜き部４７を大きく設けたため、キャパシタンスの増加を抑制することができる。
【００７４】
また、抜き部４７の両側で配線として機能する部分の総幅は、フライング・リード９Ｈａの配線幅と同程度に設定されているため、電気的特性の乱れを抑制することができる。
【００７５】
その他、実施例１と同様な効果を奏することができる。
【実施例９】
【００７６】
図１３は、本発明の実施例９に係り、導体パターンの要部拡大平面図である。なお、基本的な構成は実施例８と同様であり、対応する構成部分には、符号のＨをＩに代えて付し、重複した説明は省略する。
【００７７】
本実施例のフレキシャ１Ｉは、易延伸部４０Ｉを形成するスリット部３９Ｉの端部を抜き部４７Ｉに開放して連続させた。
【００７８】
本実施例でも、実施例８と同様な効果を奏することができる。
【実施例１０】
【００７９】
図１４は、本発明の実施例１０に係り、導体パターンの要部拡大平面図である。なお、基本的な構成は実施例１と同様であり、対応する構成部分には、符号のＡをＪに代えて付し、重複した説明は省略する。
【００８０】
本実施例のフレキシャ１Ｊは、捻じれ規制部２９Ｊａ、２９Ｊｂ及び端子部９Ｊａ間に長穴である穴部４９により易延伸部４０Ｊを形成した。
【００８１】
捻じれ規制部２９Ｊａ、２９Ｊｂは、配線幅方向で対象形状に形成され、連繋部３７Ｊの直線的な傾斜側部３７Ｊａは、穴部４９の一端部側から窓部１１Ｊａ側に至っている。
【００８２】
本実施例では、捻じれ規制部２９Ｊａ、２９Ｊｂ及び端子部９Ｊａ間で開口部２３Ｊ内への伸びが促進され、実施例１と同様な効果を奏することができる。
【実施例１１】
【００８３】
図１５は、本発明の実施例１１に係り、導体パターンの要部拡大平面図である。なお、基本的な構成は実施例１０と同様であり、対応する構成部分には、符号のＪをＫに代えて付し、重複した説明は省略する。
【００８４】
本実施例のフレキシャ１Ｋは、捻じれ規制部２９Ｋａ、２９Ｋｂ及び端子部９Ｋａ間に相対的な薄肉部４９Ｋをパーシャルエッチングにより設けて易延伸部４０Ｋを形成した。
【００８５】
本実施例では、捻じれ規制部２９Ｋａ、２９Ｋｂ及び端子部９Ｋａ間で開口部２３Ｋ内への伸びが促進され、実施例１０と同様な効果を奏することができる。
【実施例１２】
【００８６】
図１６は、本発明の実施例１２に係り、導体パターンの要部拡大平面図である。なお、基本的な構成は実施例１０と同様であり、対応する構成部分には、符号のＪをＬに代えて付し、重複した説明は省略する。
【００８７】
本実施例のフレキシャ１Ｌは、捻じれ規制部２９Ｌａ、２９Ｌｂに長穴の穴部５１を設けて易延伸部４０Ｌを形成した。穴部５１は、一端が開口部２３Ｌ内へ至り、他端が幅広部３５Ｌの傾斜側部３５Ｌｂ間に至っている。傾斜側部３５Ｌｂは、配線５Ｌａに連続する。なお、他の配線に関しても同様の形態としている。
【００８８】
幅広部３５Ｌの配線幅Ｗ１、Ｗ２は等しく、端子部９Ｌａの配線幅ｂに対し、Ｗ１＋Ｗ２＞ｂとなるように設定されている。
【００８９】
本実施例では、電気的な乱れを抑制できながら、捻じれ規制部２９Ｌａ、２９Ｌｂの全体幅を確保して捻じれ剛性を高め、Ｗ１＋Ｗ２＞ｂとなるように設定することで強度確保ができた。その他、実施例１０と同様な効果を奏することができる。
［その他］
金属支持層としてのステンレス製薄板は省略することもできる。
【００９０】
フレキシャ以外の配線回路基板として適用することもできる。
【符号の説明】
【００９１】
１Ａ、１Ｂ、１Ｃ、１Ｄ、１Ｅ、１Ｆ、１Ｇ、１Ｈ、１Ｉ  フレキシャ（配線回路基板）
９Ａ  配線パターン（導体パターン）
９Ａａ  フライング・リード
１１Ａ  ステンレス製薄板（金属支持層）
１３Ａ  ベース層（絶縁層）
２１Ａ、２１Ｂ、２１Ｃ、２１Ｄ、２１Ｅ、２１Ｆ、２１Ｇ、２１Ｈ、２１Ｉ  外部側接続端子（端子部）
２３Ａ、２３Ｂ、２３Ｃ、２３Ｄ、２３Ｅ、２３Ｆ、２３Ｇ、２３Ｈ、２３Ｉ  開口部
２３Ａａ、２３Ｂａ、２３Ｃａ、２３Ｄａ、２３Ｅａ、２３Ｆａ、２３Ｇａ、２３Ｈａ、２３Ｉａ  縁部
３９、３９Ｂ、３９Ｃ、３９Ｄ、３９Ｅ、３９Ｆ、３９Ｇ、３９Ｈ、３９Ｉ  スリット部
４０、４０Ｂ、４０Ｃ、４０Ｄ、４０Ｅ、４０Ｆ、４０Ｇ、４０Ｈ、４０Ｉ、４０Ｊ、４０Ｋ、４０Ｌ  易延伸部
４１、４５、４９，５１  穴部
４３  長穴（穴部）
４７、４７Ｉ  抜き部
４９Ｋ  薄肉部
【図１】
2013016232.tif 000003
【図２】
2013016232.tif 000004
【図３】
2013016232.tif 000005
【図４】
2013016232.tif 000006
【図５】
2013016232.tif 000007
【図６】
2013016232.tif 000008
【図７】
2013016232.tif 000009
【図８】
2013016232.tif 000010
【図９】
2013016232.tif 000011
【図１０】
2013016232.tif 000012
【図１１】
2013016232.tif 000013
【図１２】
2013016232.tif 000014
【図１３】
2013016232.tif 000015
【図１４】
2013016232.tif 000016
【図１５】
2013016232.tif 000017
【図１６】
2013016232.tif 000018